(57)【要約】【課題】免震構造が採用された建築物の水切部材の保守を容易にすることができる水切構造を提供する。【解決手段】可動面Ｐを有する免震構造を備える建築物の水切構造Ａであって、前記水切構造Ｋが、前記可動面Ｐより下側に配設される基礎側水切部１２と、前記可動面Ｐより上側に配設される建物側水切部１１と、前記基礎側水切部１２と前記建物側水切部１２との間に介装される変形自在とされた止水部１３とを備えてなる水切構造Ｋである。【選択図】　図１
2004116196.tif 000002
【特許請求の範囲】
【請求項１】
可動面を有する免震構造を備える建築物の水切構造であって、
前記水切構造が、前記可動面より下側に配設される基礎側水切部と、前記可動面より上側に配設される建物側水切部と、前記基礎側水切部と前記建物側水切部との間に介装される変形自在とされた止水部とを備えてなることを特徴とする水切構造。
【請求項２】
止水部が主止水材とその主止水材の背後に配設される従止水材とを有してなることを特徴とする請求項１記載の水切構造。
【請求項３】
止水部がひれ状の乾式ガスケットを有してなることを特徴とする請求項１記載の水切構造。
【請求項４】
止水部が、頭部が丸みを帯びた断面山形状の乾式ガスケットを有し、該乾式ガスケットの底部が基礎側水切部の上面部に固着されてなることを特徴とする請求項１記載の水切構造。
【請求項５】
基礎側水切部が、先端が基礎と止水可能とされた下面部を有してなることを特徴とする請求項１記載の水切構造。
【請求項６】
建物側水切部が可動面に面した下面部を有し、該下面部に換気孔が形成されてなることを特徴とする請求項１記載の水切構造。
【発明の詳細な説明】
【０００１】
【発明の属する技術分野】
本発明は、水切構造に関する。さらに詳しくは、免震建物の土台水切として好適な水切構造に関する。
【０００２】
【従来の技術】
免震構造は、建物を基礎から浮かした状態で免震要素により支承し、地震による建物の揺れを小さくするようにした構造である。このような免震構造を採用した建物（以下、免震建物という）では、滑り支承、転がり支承、ゴム支承等、いずれの支承方式であっても必ず基礎と建物本体との間に可動面が形成される。
【０００３】
一方、免震建物においては外壁を伝わる雨水が建物土台と基礎との隙間に侵入するのを防止するように建物下端部に水切カバーを設けるようにしたものが多い。そしてこのような水切カバーは、前掲した可動面を跨ぐような形で土台と基礎とに取り付けられるため、基礎と建物本体とが相対変位する免震状態となったときにカバーの取付部分が外れるよう設計されるのが一般的である（また、免震建物の各種水切構造として、特開２０００−２３４３９４号公報、特開２００１−１８２３６６号公報および特開２００２−３８６１４号公報参照）。
【０００４】
ところが、このような水切カバーの取付構造においては、建物が免震状態となる度に取付作業を実施する必要があるため保守が煩雑になるという問題がある。
【０００５】
また、建物基礎周囲の構造物、例えば玄関ポーチや勝手口ポーチとの間に取付作業を実施するためのある程度のスペースを確保しなければならず、スペースの有効利用にも支障をきたすという問題も生じる。
【０００６】
その上、免震状態において水切カバーが外れる構造とした場合には、カバーが地面に落ちたときに変形し再施工が困難になることがあり、このような場合にはカバーを再び製作し施工する必要が生じる。
【０００７】
【発明が解決しようとする課題】
本発明はかかる従来技術の課題に鑑みなされたものであって、免震構造が採用された建築物の水切部材の保守を容易にすることができる水切構造を提供することを目的としている。
【０００８】
【課題を解決するための手段】
本発明の水切構造は、可動面を有する免震構造を備える建築物の水切構造であって、前記水切構造が、前記可動面より下側に配設される基礎側水切部と、前記可動面より上側に配設される建物側水切部と、前記基礎側水切部と前記建物側水切部との間に介装される変形自在とされた止水部とを備えてなることを特徴とする。
【０００９】
本発明の水切構造においては、止水部が主止水材とその主止水材の背後に配設される従止水材とを有していたり、ひれ状の乾式ガスケットを有していたりするのが好ましい。
【００１０】
また、本発明の水切構造においては、止水部が、頭部が丸みを帯びた断面山形状の乾式ガスケットを有し、該乾式ガスケットの底部が基礎側水切部の上面部に固着されてなるのが好ましい。
【００１１】
さらに、本発明の水切構造においては、基礎側水切部が、先端が基礎と止水可能とされた下面部を有してなるのが好ましい。
【００１２】
さらに、本発明の水切構造においては、建物側水切部が可動面に面した下面部を有し、該下面部に換気孔が形成されてなるのが好ましい。
【００１３】
【作用】
本発明の水切構造は、前記の如く構成されているので、地震などにより建物が揺れても水切部材が損傷するおそれはない。そのため、水切部材の保守が容易となる。
【００１４】
【発明の実施の形態】
以下、添付図面を参照しながら本発明を実施形態に基づいて説明するが、本発明はかかる実施形態のみに限定されるものではない。
【００１５】
実施形態１
図１および図２に本発明の実施形態１に係る水切構造の概略構成を示し、この水切構造Ａは、免震構造を有する建物（以下、免震建物という）の下端部と基礎との隙間を止水するための水切構造とされる。
【００１６】
水切構造Ａは、建物を支える鋼製の土台１とコンクリート製の基礎２との間に免震用の支持層３が設けられた免震建物において、外壁面材４を伝わる雨水などが支持層３に侵入するのを防止するよう水切カバー（水切部材）１０を設けてなるものとされる。
【００１７】
支持層３は、地震により基礎２が横揺れしたときにも土台１により支えられる建物の揺れを緩やかなものとするように、所定の可動面Ｐよりも上側にあり土台１に固定される上側支持部３ａと、可動面Ｐよりも下側にあり基礎２に固定される下側支持部３ｂと、上側支持部３ａを下側支持部３ｂに相対変位可能に支承させる支承部３ｃとから構成される。ここで、可動面Ｐは上側支持部３ａと下側支持部３ｂとの間に位置する１つの水平面とされる。
【００１８】
水切カバー１０は例えばフッ素樹脂被覆鋼板からなり、土台１の側方を覆う耐水合板５に上側下地金物２１により、所定の姿勢で最下端が可動面Ｐよりも上になるように取り付けられる上側カバー（建物側水切部）１１と、基礎２に下側下地金物２２により、所定の姿勢で最上端が可動面Ｐよりも下になるように取り付けられる下側カバー（基礎側水切部）１２と、各カバー１１、１２の間隙を塞ぐ変形自在とされた止水部１３とから構成される。
【００１９】
図２に上側カバー１１の詳細を示す。上側カバー１１は、耐水合板５上部を覆う外壁面材４の下端に接続され、下部を覆うように耐水合板５に取り付けられる上端部１１ａと、これに続き緩やかな下向きの傾斜で建物外側に向かって延びるように設けられる傾斜水平面部１１ｂと、傾斜水平面部１１ｂの先端から所定の急な傾斜で下方かつ建物外側に向かって延びるように設けられる傾斜縦面部１１ｃと、傾斜縦面部１１ｃの先端から上向きの緩やかな傾斜で建物側に折り返すようにして設けられる下面部１１ｄと、下面部１１ｄの先端を内側に折るように鉛直上向きに向かって延びるようにして設けられる折り面部１１ｅとから構成される。
【００２０】
ここで、上側カバー１１の下面部１１ｄには所定寸法の換気孔（不図示である）が設けられるものとされる。すなわち、上側カバー１１は支持層３に通風する通風機能を有するものとされる。
【００２１】
図３に下側カバー１２の詳細を示す。下側カバー１２は、上側カバー１１の下面部１１ｄと所定の間隙で対向するように緩やかな下向きの傾斜で建物外側に向かって延びるように設けられる上面部１２ａと、上面部１２ａの先端から下方に延びるように設けられる縦面部１２ｂと、縦面部１２ｂの先端から上向きの緩やかな傾斜で基礎２側に折り返すようにして設けられ、先端が止水可能に基礎２と当接する下面部１２ｃとから構成される。
【００２２】
止水部１３は、上側カバー１１の下面部１１ｄに接着されるようにして設けられる弾性材（例えばエプト）からなる止水材（主止水材）１４と、例えばゴムからなる断面Ｌ字形の弾性板材（従止水材）１５とから構成される。
【００２３】
図４に示すように、弾性板材１５は、Ｌ字の長辺に相当する本体１５ａを鉛直上向きに直立させるよう、Ｌ字の短辺に相当する取付部分１５ｂが、リベットなどの締結手段２３により留められるようにして、下側カバー１２の上面部１２ａに設けられるものとされる。
【００２４】
このような構成の水切構造Ａにおいては、地震の発生していない通常の状態（図１の状態）で、止水材１４が下側カバー１２の上面部１２ａと当接して止水するとともに、弾性板材１５が止水材１４の背後に配設されて二次的に止水するものとされる。これにより、水切カバー１０を上側カバー１１と、下側カバー１２とに分割するものとしたことに起因する、止水性の低下を補うことが可能となる。
【００２５】
また、図５に示す免震状態では、上側支持部３ａが下側支持部３ｂの外側にせり出す方向の揺れ（同図（ａ）参照）、および上側支持部３ａが下側支持部３ｂの内側に引っ込む方向の揺れ（同図（ａ）参照）のいずれの場合においても、下側カバー１２が上側支持部３ａと干渉することはなく（同図（ａ）参照）、上側カバー１１が下側支持部３ｂと干渉することもない（同図（ｂ）参照）。これにより、免震状態で水切カバー１０が外れる構造とすることなく破損するのを防止することができる。
【００２６】
また、免震状態において止水材１４は下側支持部３ｂと干渉し（同図（ｂ）参照）、弾性板材１５は上側支持部３ａと干渉する（同図（ａ）参照）ことがあるが、双方とも弾性材とされるためカバーに影響を与えることがなく自身が破損されることもない。
【００２７】
このように、実施形態の水切構造Ａにおいては、建物土台１と基礎２との間の支持層３を防水する水切カバー１０を、支持層３の上側支持部３ａと下側支持部３ｂとの間の可動面Ｐよりも上に配され土台１に取り付けられる上側カバー１１と、可動面Ｐよりも下に配され基礎２に取り付けられる下側カバー１２とにより構成するとともに、上側カバー１１と下側カバー１２との間隙を弾性材からなる止水部１３により止水するものとしたので、免震状態において水切カバー１０を外す構造とすることなく破損を防止する事が可能となる。
【００２８】
これにより、保守が極めて容易となりコストダウンを達成しかつ施工の手間を省くことができるとともに、建物基礎周囲に構造物が設けられる場合にもカバー取り付け作業用のスペースを特に確保する必要がなく、スペースの有効利用を達成することが可能となる。
【００２９】
以上、本発明を実施形態により説明したが、本発明はこれに限られるものではなく種々改変が可能である。
【００３０】
例えば、図６に示すように、実施形態１の止水部１３の弾性板材１５を省略し、止水材１４のみからなる止水部１３Ａにより、上側カバー１１と下側カバー１２との間を止水するものとしてもよい。
【００３１】
また、図７に示すように、エプトからなる止水材１４の代わりにひれ状の乾式ガスケット１４Ａを用いて、止水部１３Ｂを構成するようにしても良い。
【００３２】
さらに、図８に示すように、止水材１４を例えば頭部が丸みを帯びた断面山形の乾式ガスケット１４Ｃとし、その底部を下側カバー１２の上面部に取り付けるようにして、例えば固着するようにして止水部１３Ｃを構成してもよい。
【００３３】
【発明の効果】
以上詳述したように、本発明の水切構造によれば、地震などにより建物が揺れても水切部材が損傷するおそれはないという優れた効果が得られる。そのため、水切部材の保守が容易となるという優れた効果も得られる。
【図面の簡単な説明】
【図１】本発明の実施形態１に係る水切構造の概略構成を示す要部断面図である。
【図２】同水切構造の上側カバーの詳細を示す模式図である。
【図３】同水切構造の下側カバーの詳細を示す模式図である。
【図４】同水切構造の止水部の詳細を示す模式図である。
【図５】免震状態における水切構造各部の状態を示す模式図であって、同（ａ）は上側支持部が下側支持部よりも外側にせり出す方向に揺れたときを示し、同（ｂ）は下側支持部が上側支持部よりも外側にせり出す方向に揺れたときを示す。
【図６】本発明の水切構造の第１変形例を示す要部断面図である。
【図７】本発明の水切構造の第２変形例を示す要部断面図である。
【図８】本発明の水切構造の第３変形例を示す要部断面図である。
【符号の説明】
Ａ　水切構造
Ｐ　可動面
１　土台
２　基礎
３　支持層
１０　水切カバー（水切部材）
１１　上側カバー
１２　下側カバー
１３　止水部
１４　止水材（主止水材）
１５　弾性板材（従止水材）
【図１】
2004116196.tif 000003
【図２】
2004116196.tif 000004
【図３】
2004116196.tif 000005
【図４】
2004116196.tif 000006
【図５】
2004116196.tif 000007
【図６】
2004116196.tif 000008
【図７】
2004116196.tif 000009
【図８】
2004116196.tif 000010